(57)【要約】本発明は、干渉除去型無線中継器に関する。前記干渉除去型無線中継器は、送信アンテナから放射される無線信号が複数の経路を経た後、受信アンテナに再受信され、発振又はその他信号品質の低下を発生させる干渉信号を除去するためのものである。本発明に係る前記干渉除去型無線中継器は、適応型フィルターを用いることによって、送信信号が受信アンテナに再受信される干渉信号を効率的に除去できるようになる。また、本発明に係る前記干渉除去型無線中継器は、受信信号が広帯域又は多重チャンネル(Multi-channel)の無線信号である場合、受信信号の全周波数帯域複数の帯域又はチャンネル別に分割して信号を処理することで、適応型フィルターの具現を容易にし、干渉除去性能を向上させることができるようになる。【選択図】図２
2009522908.tif 000002
【特許請求の範囲】
【請求項１】
受信アンテナから受信された受信信号を利得調整して伝送する受信部と、
前記受信部から伝送された受信信号を中間周波数帯域の信号に変換して出力する下向き周波数変換部と、
前記下向き周波数変換部から伝送された受信信号を少なくとも一つ以上の帯域又は少なくとも一つ以上のチャンネル別に分割し、適応型フィルターを用いて、前記分割されたチャンネル信号から干渉信号を除去した後、分割されたチャンネル信号を一つの信号として結合して伝送する干渉除去信号処理部と、
前記干渉除去信号処理部から伝送される信号を出力可能な元の周波数帯域の信号に変換して出力する上向き周波数変換部と、
前記上向き周波数変換部から伝送された信号を増幅する増幅部と、
前記増幅部から伝送される信号を送信する送信アンテナと、
を備え、受信信号から干渉信号を除去して出力する干渉除去型無線中継器。
【請求項２】
前記干渉除去信号処理部は、
アナログ型受信信号をデジタル型信号に変換するＡ/Ｄ変換部と、
前記Ａ/Ｄ変換部から伝送される信号を受信して、基底帯域の信号に変換させ、各チャンネル別に分割した後、該当チャンネルに対する受信信号を既設定された標本化率で変換して出力する少なくとも一つ以上の受信信号デジタル下向き変換器と、
所定の基準信号を用いて、前記受信信号デジタル下向き変換器から受信される該当チャンネルの受信信号から干渉信号を除去した該当チャンネル信号を出力する少なくとも一つ以上の干渉制御部と、
前記干渉制御部から伝送される該当チャンネル信号の標本化率を増加させ、中間周波数帯域の信号に変換して出力する少なくとも一つ以上のデジタル上向き変換器と、
前記少なくとも一つ以上のデジタル上向き変換器から出力される全てのチャンネルの信号を一つの信号として結合する結合器と、
前記結合器から出力される信号をアナログ型信号に変換させるＤ/Ａ変換部と、
を備えることを特徴とする請求項１に記載の干渉除去型無線中継器。
【請求項３】
前記干渉制御部は、適応型フィルター部及び加算器を備え、
前記適応型フィルター部は、
干渉信号を除去するための基準信号及び前記加算器から出力される誤差信号を入力され、適応型フィルターアルゴリズムを適用してフィルター係数を出力するフィルター係数調整部と、
前記基準信号及び前記フィルター係数調整部から出力されるフィルター係数を入力され、前記基準信号から干渉信号を推定して干渉推定信号を出力するデジタルフィルターと、からなり、
前記加算器は、干渉信号が含まれた受信信号を非反転端子に入力され、前記デジタルフィルターから出力される干渉推定信号を反転端子に入力され、受信信号から干渉推定信号が除去された誤差信号を出力することを特徴とする請求項２に記載の干渉除去型無線中継器。
【請求項４】
前記干渉制御部の出力信号を前記干渉除去信号処理部の前記干渉制御部に入力される基準信号として使用することを特徴とする請求項２又は３に記載の干渉除去型無線中継器。
【請求項５】
前記干渉除去信号処理部は、少なくとも一つ以上の基準信号デジタル下向き変換器を更に備え、
前記基準信号デジタル下向き変換器は、前記デジタル上向き変換器の出力信号が入力され、入力された信号を各チャンネルに対して基底帯域の信号に変換してフィルタリングした後、既設定された標本化率で変換させた該当チャンネルの基準信号を出力し、
前記基準信号デジタル下向き変換器から出力される該当チャンネルの基準信号は、該当チャンネルに対する干渉制御部に入力される基準信号として使用されることを特徴とする請求項２又は３に記載の干渉除去型無線中継器。
【請求項６】
受信アンテナから受信された受信信号を利得調整して伝送する受信部と、
前記受信部から伝送された受信信号を中間周波数帯域の信号に変換して出力する下向き周波数変換部と、
所定の基準信号及び前記受信信号が入力され、前記下向き周波数変換部から伝送された受信信号を各チャンネル別に分割し、適応型フィルターを用いて、前記基準信号から推定された干渉推定信号を生成し、前記分割されたチャンネル別受信信号から該当チャンネルの干渉推定信号を除去した後、分割された各チャンネル別受信信号を一つの信号として結合して伝送する干渉除去信号処理部と、
前記干渉除去信号処理部から伝送される信号を出力可能な元の周波数帯域の信号に変換して出力する上向き周波数変換部と、
前記上向き周波数変換部から伝送された信号を増幅する増幅部と、
前記増幅部から伝送される信号を送信する送信アンテナと、
を備え、受信信号から干渉信号を除去して出力する干渉除去型無線中継器。
【請求項７】
前記干渉除去信号処理部は、
アナログ型受信信号をデジタル型信号に変換する第１のＡ/Ｄ変換部と、
アナログ型基準信号をデジタル型信号に変換する第２のＡ/Ｄ変換部と、
前記第１のＡ/Ｄ変換部から伝送される信号を受信して基底帯域の信号に変換させ、各チャンネル別に分割した後、該当チャンネルに対する受信信号を既設定された標本化率で変換して出力する少なくとも一つ以上の受信信号デジタル下向き変換器と、
前記第２のＡ/Ｄ変換部から伝送される信号を受信して基底帯域の信号に変換させ、各チャンネル別に分割した後、該当チャンネルに対する基準信号を既設定された標本化率で変換して出力する少なくとも一つ以上の基準信号デジタル下向き変換器と、
前記基準信号デジタル下向き変換器から入力される該当チャンネルの基準信号を用いて、前記受信信号デジタル下向き変換器から受信される該当チャンネルの受信信号から干渉信号を除去した該当チャンネル信号を出力する少なくとも一つ以上の干渉制御部と、
前記干渉制御部から伝送される該当チャンネル信号の標本化率を増加させ、中間周波数帯域の信号に変換して出力する少なくとも一つ以上のデジタル上向き変換器と、
前記少なくとも一つ以上のデジタル上向き変換器から出力される全てのチャンネルの信号を一つの信号として結合する結合器と、
前記結合器から出力される信号をアナログ型信号に変換させるＤ/Ａ変換部と、
を備えることを特徴とする請求項６に記載の干渉除去型無線中継器。
【請求項８】
前記干渉制御部は、適応型フィルター部及び加算器を備え、
前記適応型フィルター部は、
干渉信号を除去するための基準信号及び前記加算器から出力される誤差信号を入力され、適応型フィルターアルゴリズムを適用してフィルター係数を出力するフィルター係数調整部と、
前記基準信号及び前記フィルター係数調整部から出力されるフィルター係数を入力され、前記基準信号から干渉信号を推定して干渉推定信号を出力するデジタルフィルターと、からなり、
前記加算器は、干渉信号が含まれた受信信号を非反転端子に入力され、前記デジタルフィルターから出力される干渉推定信号を反転端子に入力され、受信信号から干渉推定信号が除去された誤差信号を出力することを特徴とする請求項７に記載の干渉除去型無線中継器。
【請求項９】
前記干渉除去信号処理部の出力信号を前記干渉除去信号処理部に入力される基準信号として使用することを特徴とする請求項６から８のいずれかに記載の干渉除去型無線中継器。
【請求項１０】
前記上向き周波数変換部の出力信号を前記干渉除去信号処理部に入力される基準信号として使用し、
前記干渉除去型無線中継器は、前記上向き周波数変換部と前記干渉除去信号処理部との間に追加の下向き周波数変換部を更に備え、
前記追加の下向き周波数変換部は、前記上向き周波数変換部の出力信号を中間周波数帯域の信号に変換して前記干渉除去信号処理部に伝送することを特徴とする請求項６から８のいずれかに記載の干渉除去型無線中継器。
【請求項１１】
前記増幅部の出力信号を前記干渉除去信号処理部に入力される基準信号として使用し、
前記干渉除去型無線中継器は、前記増幅部と前記干渉除去信号処理部との間に追加の下向き周波数変換部を更に備え、
前記追加の下向き周波数変換部は、前記増幅部の出力信号を中間周波数帯域の信号に変換して前記干渉除去信号処理部に伝送することを特徴とする請求項６から８のいずれかに記載の干渉除去型無線中継器。
【発明の詳細な説明】
【技術分野】
【０００１】
本発明は、無線通信システムに使用される干渉除去型無線中継器に関し、更に具体的には、受信信号から干渉信号を除去するために適応型フィルターを適用したり、受信される無線信号が広帯域や多重化チャンネルで構成されている場合は、信号を複数の小さな帯域又は複数のチャンネルに分割した後、各信号に対して適応型フィルターを適用して干渉信号を除去する干渉除去型無線中継器に関する。
【背景技術】
【０００２】
中継器(Repeater)とは、基地局と端末局との間に位置して、低い受信信号レベルを良好な通話品質のレベルに増幅させることによって、電波が到達できなくなり、電波の強さが微弱な地域である建物内部又は外郭地域などに良好な通話品質を提供するための装置を言う。中継器の種類は、光中継器、マイクロウエーブ中継器、変波中継器、無線(ＲＦ)中継器などがある。
【０００３】
前述した中継器の中で、無線中継器は、無線通信システムの作動中に発生する電波陰影地域を減らし、通話品質を改善するためのものであり、受信信号の周波数と送信信号の周波数とが、同じ方式で運用される中継器を意味する。
【０００４】
図１に示された一般的な移動通信用無線中継装置は、同じ送受信周波数を用いる中継装置１０であって、基地局から電波を受信し、これを増幅した後、サービス領域に放射する順方向リンクと、サービス領域から電波を受信し、これを増幅した後、基地局に送信する逆方向リンクと、を有するが、このような順方向リンクと逆方向リンクとは、いずれも同様の構造を持つので、ここでは、順方向リンクの作動だけを説明する。
【０００５】
まず、中継しようとする高周波信号が、受信アンテナ１００を介して受信された後、受信フィルター部１１０に入力されると、前記受信フィルター部１１０は、受信信号を帯域通過フィルタリングした後、フィルタリングされた受信信号を増幅部１２０に伝達する。次に、前記増幅部１２０は、フィルタリングされた受信信号を増幅した後、送信アンテナ１３０を介してサービス領域に伝送する。しかしながら、図１に示されたように、単に受信信号を増幅して送信する機能だけを備える無線中継器１０は、送受信アンテナ間の離隔度(Isolation)が良くなくて、送信アンテナ１３０から送信した信号が、再び受信アンテナ１００に帰還(feedback)され、元の信号と共に増幅され、送信アンテナに再び送出されるので、中継器が発振することになるという問題点がある。このような発振現状は、送信アンテナの送信信号が強い大型無線中継器においてより一層多くの問題を起こすようになる。
【０００６】
したがって、前述のような発振現状を起こす受信アンテナへの帰還信号を十分に除去するために、一般に無線中継器は、送信アンテナと受信アンテナとを分離して遠隔地に設置し、送受信アンテナ間の離隔度を増加させ、方向性の優れた指向性アンテナを使用している。しかしながら、送受信アンテナの離隔度が中継器の利得よりも大きくなるように、送受信アンテナを遠く離して設置しなければならないので、設置費用が増加するという短所があり、送信信号の帰還現状を十分に軽減できるように、中継装置の利得を減らして設計しなければならないという制約が伴われる。
【０００７】
このような問題点を解決するために、従来には、中継基地局の相関離隔度を向上させるために、送信及び受信空中線の遮蔽障害物を設置したり、空間の離隔実施、周波数の変換中継、及びスマートアンテナ技術に位相信号処理方法などを使用したが、遮蔽物設置の面倒さと、高価の信号処理装置を要するという問題点があった。
【０００８】
また、近年、デジタル信号処理技術を適用して、受信信号から前述した干渉信号を除去するための多様な方案が提案されている実情である。提案されている方案等の大部分は、送信信号が、アンテナ及び周辺障害物などから反射される各々の反射信号を推定して受信信号から取り消すことによって、実際の状況では、反射信号の正確な推定が難しいだけでなく、推定に要する時間が長くて、周辺環境の変化による実時間の干渉除去がほとんど不可能であるという問題点を含んでいる。したがって、従来に提案されている方案は、その性能面で実際に使用するのに適合しなく、その結果、実際の野戦環境での使用は、非常に制約的である。
【発明の開示】
【発明が解決しようとする課題】
【０００９】
前述した問題点を解決するための本発明の目的は、適応型フィルターを適用して、送信アンテナから出力される受信信号が、受信アンテナに再び受信される干渉信号を効率的に除去する干渉除去型無線中継器を提供することにある。
本発明の他の目的は、受信される無線信号が広帯域信号であるか、多重化チャンネル(Multi-channel)信号である場合、前記受信信号を開複数の周波数帯域に分割したり、各チャンネル別に分割させ、分割された信号に対して適応型フィルターを適用して干渉信号を除去することによって、長い遅延時間を持つ干渉信号を効率的に除去することができ、早い干渉除去性能を持つ適応型フィルターを効率的に具現できる干渉除去型無線中継器を提供することにある。
【課題を解決するための手段】
【００１０】
前述した技術的課題を達成するための本発明の特徴は、受信信号から干渉信号を除去する干渉除去型無線中継器に関し、前記干渉除去型無線中継器は、
受信アンテナから受信された受信信号を利得調整して伝送する受信部と、
前記受信部から伝送された受信信号を中間周波数帯域の信号に変換して出力する下向き周波数変換部と、
前記下向き周波数変換部から伝送された受信信号を少なくとも一つ以上のチャンネル別に分割し、適応型フィルターを用いて、前記分割されたチャンネル別受信信号から干渉信号を除去した後、分割されたチャンネル別受信信号を一つの信号として結合して伝送する干渉除去信号処理部と、
前記干渉除去信号処理部から伝送される信号を出力可能な元の周波数帯域の信号に変換して出力する上向き周波数変換部と、
前記上向き周波数変換部から伝送された信号を増幅する増幅部と、
前記増幅部から伝送される信号を送信する送信アンテナと、を備え、
前記干渉除去信号処理部は、
アナログ型受信信号をデジタル型信号に変換するＡ/Ｄ変換部と、
前記Ａ/Ｄ変換部から伝送される信号を受信して基底帯域の信号に変換させ、各チャンネル別に分割した後、該当チャンネルに対する受信信号を既設定された標本化率で変換して出力する少なくとも一つ以上の受信信号デジタル下向き変換器と、
所定の基準信号を用いて、前記受信信号デジタル下向き変換器から受信される該当チャンネルの受信信号から干渉信号を除去した該当チャンネル信号を出力する少なくとも一つ以上の干渉制御部と、
前記干渉制御部から伝送される該当チャンネル信号の標本化率を増加させ、中間周波数帯域の信号に変換して出力する少なくとも一つ以上のデジタル上向き変換器と、
前記少なくとも一つ以上のデジタル上向き変換器から出力される全てのチャンネルの信号を一つの信号として結合する結合器と、
前記結合器から出力される信号をアナログ型信号に変換させるＤ/Ａ変換部と、を備え、
前記干渉制御部は、
干渉信号を除去するための基準信号を入力され、適応型フィルターアルゴリズムを適用して前記基準信号から干渉信号を推定して、干渉推定信号を出力する適応型フィルター部と、
干渉信号が含まれた受信信号を非反転端子に入力され、前記適応型フィルター部から出力される干渉推定信号を反転端子に入力され、受信信号から干渉推定信号が除去された誤差信号を出力する加算器と、からなり、
前記適応型フィルター部は、
前記基準信号及び前記加算器から出力される誤差信号を入力され、適応型フィルターアルゴリズムにより毎信号サンプル(sample)毎に実時間に調整されるフィルター係数を出力するフィルター係数調整部と、
前記基準信号及び前記フィルター係数調整部から出力されるフィルター係数を入力され、前記基準信号をデジタルフィルタリングして生成された干渉推定信号を出力するデジタルフィルターと、からなる。
前述した特徴を持つ干渉除去型無線中継器は、前記干渉制御部の出力信号を前記干渉除去信号処理部の前記干渉制御部に入力される基準信号として使用することが望ましい。
本発明の他の特徴に係る干渉除去型無線中継器は、前述した干渉除去型無線中継器において、少なくとも一つ以上の基準信号デジタル下向き変換器を更に備え、
前記基準信号デジタル下向き変換器は、該当チャンネルのデジタル上向き変換器の出力信号を入力され、入力された信号を各チャンネル別に基底帯域の信号に変換させた後、標本化率を既設定された標本化率で変換して出力することを特徴とし、
前記基準信号デジタル下向き変換器の出力信号は、前記干渉除去信号処理部の前記干渉制御部に入力される基準信号として使用されることを特徴とする。
本発明の更に他の特徴に係る干渉除去型無線中継器は、
受信アンテナから受信された受信信号を利得調整して伝送する受信部と、
前記受信部から伝送された受信信号を中間周波数帯域の信号に変換して出力する下向き周波数変換部と、
所定の基準信号及び前記受信信号が入力され、前記下向き周波数変換部から伝送された受信信号を各チャンネル別に分割し、適応型フィルターを用いて、前記基準信号から推定された干渉推定信号を抽出して、前記分割された各チャンネル別受信信号から該当チャンネルの干渉推定信号を除去した後、チャンネル別受信信号を一つの信号として結合して伝送する干渉除去信号処理部と、
前記干渉除去信号処理部から伝送される信号を出力可能な元の周波数帯域の信号に変換して出力する上向き周波数変換部と、
前記上向き周波数変換部から伝送された信号を増幅する増幅部と、
前記増幅部から伝送される信号を送信する送信アンテナと、を備え、
前記干渉除去信号処理部は、
アナログ型受信信号をデジタル型信号に変換する第１のＡ/Ｄ変換部と、
アナログ型基準信号をデジタル型信号に変換する第２のＡ/Ｄ変換部と、
前記第１のＡ/Ｄ変換部から伝送される信号を受信して基底帯域の信号に変換させ、各チャンネル別に分割した後、該当チャンネルに対する受信信号を既設定された標本化率で変換して出力する少なくとも一つ以上の受信信号デジタル下向き変換器と、
前記第２のＡ/Ｄ変換部から伝送される信号を受信して基底帯域の信号に変換させ、各チャンネル別に分割した後、該当チャンネルに対する基準信号を既設定された標本化率で変換して出力する少なくとも一つ以上の基準信号デジタル下向き変換器と、
前記基準信号デジタル下向き変換器から入力される該当チャンネルの基準信号を用いて干渉推定信号を生成し、前記受信信号デジタル下向き変換器から受信される該当チャンネルの受信信号から干渉推定信号を除去した該当チャンネル信号を出力する少なくとも一つ以上の干渉制御部と、
前記干渉制御部から伝送される該当チャンネル信号の標本化率を増加させ、中間周波数帯域の信号に変換して出力する少なくとも一つ以上のデジタル上向き変換器と、
前記少なくとも一つ以上のデジタル上向き変換器から出力される全てのチャンネルの信号を一つの信号として結合する結合器と、
前記結合器から出力される信号をアナログ型信号に変換させるＤ/Ａ変換部と、を備える。
前述した特徴を持つ干渉除去型無線中継器は、前記干渉除去信号処理部の出力信号を前記干渉除去信号処理部に入力される基準信号として使用することが望ましい。
一方、本発明の他の特徴に係る干渉除去型無線中継器は、前述した干渉除去型無線中継器において、前記上向き周波数変換部の出力信号を前記干渉除去信号処理部に入力される基準信号として使用し、
前記干渉除去型無線中継器は、前記上向き周波数変換部と前記干渉除去信号処理部との間に追加の下向き周波数変換部を更に備え、
前記追加の下向き周波数変換部は、前記上向き周波数変換部の出力信号を中間周波数帯域の信号に変換して前記干渉除去信号処理部に伝送する。
本発明の更に他の特徴に係る干渉除去型無線中継器は、前述した干渉除去型無線中継器において、前記増幅部の出力信号を前記干渉除去信号処理部に入力される基準信号として使用し、
前記干渉除去型無線中継器は、前記増幅部と前記干渉除去信号処理部との間に追加の下向き周波数変換部を更に備え、
前記追加の下向き周波数変換部は、前記増幅部の出力信号を中間周波数帯域の信号に変換して前記干渉除去信号処理部に伝送する。
【発明の効果】
【００１１】
経路別に各々のフィードバック信号を追跡する従来の中継とは異なり、本発明に係る中継器は、送信信号を基準信号として使用する適応型フィルターアルゴリズムによって、全体としてフィードバック性干渉信号を同時に除去できるだけでなく、実時間除去も可能となる。
本発明によって、受信信号を複数の帯域又は各チャンネル別に分割して処理することによって、干渉除去時間を減少させることができるようになる。ここで、干渉除去時間は、外部チャンネルの変化が発生して干渉信号の状態が変わる場合、システムの干渉信号を除去して、安定した信号品質に到達するまでに所要される時間を意味する。
また、本発明によって、受信信号を各チャンネル別に分割して処理することによって、干渉除去部の適応型フィルターの具現がより容易になる。
また、本発明によって、多重化チャンネルからなる受信信号を各チャンネル別に分割して処理することによって、各チャンネル別に信号のオン/オフの制御が可能であり、利得(gain)調整が可能となる。
【発明を実施するための最良の形態】
【００１２】
＜第１の実施形態＞
以下、添付の図面を参照して、本発明の第１の実施形態に係る干渉除去型無線中継器の構成及び動作を具体的に説明する。
【００１３】
図２は、本発明の第１の実施形態に係る干渉除去型無線中継器２０の全体的な内部構成を概略的に示すブロック図であり、図３は、図２の干渉除去信号処理部２２０の内部構成を概略的に示すブロック図であり、図４は、図３の第１のチャンネル干渉制御部３３０の内部構成を概略的に示すブロック図である。
【００１４】
まず、図２を参照すれば、本発明の第１の実施形態に係る干渉除去型無線中継器２０は、受信アンテナ２００と、送信アンテナ２４２と、受信部２０２と、第１の下向き周波数変換部(Frequency Down Converter)２１０と、干渉除去信号処理部２２０と、上向き周波数変換部(Frequency Up Converter)２３０と、増幅部２４０と、第２の下向き周波数変換部２５０と、利得調節部２６０と、を備える。以下、前述した干渉除去型無線中継器２０の各構成要素について具体的に説明する。
【００１５】
前記受信部２０２は、受信アンテナ２００から無線信号を受信して適宜のレベルに利得調整して、第１の下向き周波数変換部２１０に伝送する。
【００１６】
前記第１の下向き周波数変換部２１０は、受信部２０２から受信された高周波の無線信号を中間周波数ＩＦに変換させ、干渉除去信号処理部２２０に伝送する。この場合、第１の下向き周波数変換部２１０から前記干渉除去信号処理部２２０に伝送される信号は、送信アンテナから送信される中継器の出力信号が、受信アンテナに再び受信された干渉信号と元の信号源から伝達された信号とが合わせられた信号であり、干渉が除去される前の信号である。
【００１７】
前記第２の下向き周波数変換部２５０は、前記増幅部２４０から出力される信号を帰還(feedback)させて入力された後、中間周波数に変換させて干渉除去信号処理部２２０に伝送する。この場合、第２の下向き周波数変換部２５０に入力される信号は、中継器の出力信号が、受信アンテナに再び受信される干渉信号成分の信号源に該当する信号であって、干渉除去信号処理部２２０から元の無線信号に含まれた干渉信号を除去するための基準信号(reference signal)となる。
【００１８】
前記利得調節部２６０は、前記増幅部２４０から出力された信号の利得を適宜のレベルに調節して、前記第２の下向き周波数変換部２５０に伝送するようになる。
【００１９】
前記干渉除去信号処理部２２０は、前記第２の下向き周波数変換部２５０から受信される基準信号を用いて、前記第１の下向き周波数変換部から受信される無線信号から干渉信号を除去して、上向き周波数変換部２３０に伝送する。
【００２０】
前記上向き周波数変換部２３０は、前記干渉除去信号処理部２２０から伝送される中間周波数信号を、元の高周波数帯域の信号に変換させて増幅部２４０に伝送し、増幅部２４０は、受信された信号を増幅して、送信アンテナ２４２を介して外部に送出する。
【００２１】
以下、図３及び図４を参照して、前記干渉除去信号処理部２２０の構成及び動作を具体的に説明する。
【００２２】
図３を参照すれば、前記干渉除去信号処理部２２０は、第１のＡ/Ｄ変換部３００と、第２のＡ/Ｄ変換部３０２と、少なくとも一つ以上の受信信号デジタル下向き変換器(Digital Down Converter:以下、’ＤＤＣ’という）３１０、３１２、３１４と、少なくとも一つ以上の基準信号デジタル下向き変換器３２０、３２２、３２４と、少なくとも一つ以上の干渉除去部３３０、３３２、３３４と、少なくとも一つ以上のデジタル上向き変換器(Digital Up Converter:以下、’ＤＵＣ’という)３４０、３４２、３４４、加算器３５０、Ｄ/Ａコンバーター３６０と、を備える。前述した構成を持つ前記干渉除去信号処理部２２０は、第１の下向き周波数変換部及び第２の下向き周波数変換部から受信信号及び基準信号が各々入力され、基準信号を用いて、受信信号から干渉信号を除去した後、干渉信号が除去された受信信号を、上向き周波数変換部に伝送するようになる。以下、前述した前記干渉除去信号処理部２２０が、基準信号を用いて、受信信号から干渉信号を除去する過程を説明する。
【００２３】
第１のＡ/Ｄ変換部３００は、アナログ型受信信号をデジタル信号に変換させた後、少なくとも一つ以上の受信信号ＤＤＣに伝送し、第２のＡ/Ｄ変換部３０２は、アナログ型基準信号をデジタル信号に変換させた後、少なくとも一つ以上の基準信号ＤＤＣに伝送する。
【００２４】
受信信号ＤＤＣは、広帯域の受信信号又は複数のチャンネルが混合された多重化チャンネル(Multi-channel)の受信信号を基底帯域信号に変換させた後、特定の帯域又は特定のチャンネルの信号をデジタルフィルターを用いて分離させ、分離された信号の標本化率(sample rate)を、該当単一の帯域又は該当チャンネルに対して可能な限り低い標本化率(例えば、Nyquist Rate)で変換して出力する。したがって、本発明に係る干渉除去型無線中継器の受信信号ＤＤＣは、受信信号を構成する帯域又はチャンネルの個数だけ備え、第１のチャンネル受信信号ＤＤＣ３１０と、第２のチャンネル受信信号ＤＤＣ３１０と、…、第ｎのチャンネル受信信号ＤＤＣ３１４と、からなるようになる。第１のチャンネル受信信号ＤＤＣ３１０は、デジタル型の第１のチャンネル受信信号を第１のチャンネル干渉制御部３３０に伝送し、第２のチャンネル受信信号ＤＤＣ３１２は、デジタル型の第２のチャンネル受信信号を第２のチャンネル干渉制御部３３２に伝送し、第ｎのチャンネル受信信号ＤＤＣ３１４は、デジタル型の第ｎのチャンネル受信信号を第ｎの干渉制御部３３４に伝送する。
【００２５】
図５は、ＤＤＣモジュールの動作を説明するために示したスペクトルであって、図５の(a)は、ＤＤＣモジュールの入力信号に対するスペクトル図であり、図５の(b)は、ＤＤＣモジュールの出力信号に対するスペクトル図である。図５において、ｆs1は、ＤＤＣへの入力信号の標本化率であり、ｆs2は、ＤＤＣへの出力信号の標本化率である。図５の(a)と(b)を参照すれば、複数のチャンネルが混合された多重化チャンネル信号がＤＤＣに入力され、特定のチャンネルであるi番目のチャンネルの信号が分離され、標本化率が、ｆs1からｆs2に減少した形態で出力されることが分かる。
【００２６】
一方、基準信号ＤＤＣは、複数のチャンネルが混合された受信信号を基底帯域信号に変換させた後、特定のチャンネルの信号を分離し、分離された信号の標本化率を前記受信信号ＤＤＣの標本化率と同様に変換して出力する。したがって、本発明に係る干渉除去型無線中継器の基準信号ＤＤＣは、前記受信信号ＤＤＣと同じ個数だけ備え、第１のチャンネル基準信号ＤＤＣ３２０と、第２のチャンネル基準信号ＤＤＣ３２２と、…、第ｎのチャンネル基準信号ＤＤＣ３２４と、からなるようになる。基準信号ＤＤＣは、前述した受信信号ＤＤＣと同様に動作するので、その具体的な説明は、省略する。第１のチャンネル基準信号ＤＤＣ３２０は、デジタル型の第１のチャンネル基準信号を第１のチャンネル干渉制御部３３０に伝送し、第２のチャンネル基準信号ＤＤＣ３２２は、デジタル型の第２のチャンネル受信信号を第２のチャンネル干渉制御部３３２に伝送し、第ｎのチャンネル基準信号ＤＤＣ３２４は、デジタル型の第ｎのチャンネル基準信号を第ｎの干渉制御部３３４に伝送する。
【００２７】
前記干渉制御部は、適応型フィルター(adaptive filter)を適用して、基準信号から推定された各チャンネルの干渉推定信号を該当チャンネルの受信信号から除去して出力するものであり、第１のチャンネル干渉制御部３３０と、第２のチャンネル干渉制御部３３２と、…、第ｎのチャンネル干渉制御部３３４と、からなる。図４は、第１のチャンネル干渉制御部３３０の構成を概略的に示すブロック図である。図４を参照すれば、第１のチャンネル干渉制御部３３０は、適応型フィルター部４００及び加算器４１０を備え、前記適応型フィルター部４００は、デジタルフィルター４０２と、フィルター係数調整部４０４と、からなる。
【００２８】
前記デジタルフィルター４０２は、有限インパルス応答フィルター(Finite Impulse Response Filter、以下、’ＦＩＲフィルター’という)の形態で具現され、第１のチャンネル基準信号ＤＤＣから出力される第１のチャンネル基準信号及びフィルター係数調整部４０４から出力されるフィルター係数が入力され、出力信号は、加算器４１０の反転端子に入力される。デジタルフィルター４０２の出力信号は、無線中継器の該当チャンネルの出力信号が複数の経路を経て受信アンテナに再び受信される、フィードバック型干渉信号を推定した干渉推定信号である。
【００２９】
前記フィルター係数調整部４０４は、前記該当チャンネルの基準信号及び前記加算器４１０から出力される誤差信号eが入力され、適応型フィルターアルゴリズムにより実時間に調整されるフィルター係数を前記デジタルフィルター４０２に出力する。前記フィルター係数は、適応型フィルターアルゴリズムにより誤差成分を最小化させるために、実時間に調整される数値であって、前記適応型フィルターアルゴリズムの収斂速度は、タブ(tab)の数が少ないほど速くなるようになる。ＦＩＲフィルターのタブの数(Ｎtab)は、除去可能信号遅延時間(ｔdelay)と信号の標本化率(ｆsample)とにより決定される。その結果、適応型フィルター部の干渉除去時間は、除去可能信号遅延時間が短いほど、標本化率が低いほど、速くなるようになる。ＦＩＲフィルターの係数調整のための適応型フィルターアルゴリズムは、毎信号のサンプル(sample)毎に動作しなければならないので、サンプル間の時間間隔が短い場合は、適応型フィルターアルゴリズムの処理時間に制約を受けるようになり、具現が難しくなるという問題点が発生することになる。本発明に係る干渉除去型無線中継器は、適応型フィルターを使用しながら、このような問題点を解決するために、各チャンネル別に分割して信号の標本化率を減少させた後、各チャンネル別に適応型フィルターを適用する方法を使用することで、実際の具現を可能にする。
【００３０】
一方、前記加算器４１０の非反転端子には、第１のチャンネル受信信号ＤＤＣから出力される第１のチャンネル受信信号が入力され、加算器４１０の反転端子には、適応型フィルターの出力信号である干渉推定信号が入力され、加算器４１０は、第１のチャンネル受信信号から干渉推定信号が除去された誤差信号eを出力する。加算器から出力される誤差信号eは、フィルター係数調整部４０４に入力され、適応型フィルターアルゴリズムによりデジタルフィルターの各タブの係数を実時間に調整するための信号として使用され、前記フィルター係数調整部４０４は、前述した誤差信号eの電力を最小化する方向にデジタルフィルターのタブ等の係数を変化させるように動作する。
【００３１】
したがって、加算器から出力される誤差信号は、第１のチャンネル受信信号から前記干渉推定信号を除去した信号であって、第１の干渉制御部３３０の出力信号である第１のチャンネル信号となる。このような過程を介して、加算器から出力される第１のチャンネル信号は、第１のチャンネルデジタル上向き変換器(Digital Up Converter、以下、’ＤＵＣ’という)３４０に伝送される。
【００３２】
前記デジタル上向き変換器ＤＵＣは、基底帯域で処理された信号の標本化率を増加させた後、中間周波数上のキャリア(carrier)周波数に変換させるものであり、本発明に係る干渉除去型無線中継器は、受信信号を各チャンネル別に分割して処理するので、第１のチャンネルＤＵＣ３４０と、第２のチャンネルＤＵＣ３４２と、…、第ｎのチャンネルＤＵＣ３４４と、からなる。図６の(a)及び(b)は、それぞれＤＵＣの入力信号及び出力信号に対するスペクトル図である。ここで、ｆs2は、ＤＵＣの入力信号に対する標本化率を言い、ｆs1は、ＤＵＣの出力信号に対する標本化率を言う。前記第１のチャンネルＤＵＣ３４０は、前記第１のチャンネル干渉制御部３３０の出力信号である第１のチャンネル信号が入力され、標本化率が増加されて、中間周波数上のキャリア周波数の信号に変換された第１のチャンネル信号が出力される。前記第１のチャンネルＤＵＣと、第２のチャンネルＤＵＣと、…、第ｎのチャンネルＤＵＣと、から出力される第１のチャンネル信号と、第２のチャンネル信号と、…、第ｎのチャンネル信号とは、結合器３５０に入力され、一つの信号に結合された後、Ｄ/Ａコンバーター３６０によりアナログ型信号に変換されて出力される。
【００３３】
前述した構成を持つ本発明に係る干渉除去型無線中継器は、受信信号をチャンネル別に分けて処理することによって、周波数帯域幅(bandwidth)が減少し、その結果、ＤＤＣにより標本化率が低くなってしまい、同じ除去可能干渉遅延時間に対して適応型フィルターのタブ数が減ってしまう。したがって、適応型フィルターアルゴリズムの収斂速度が短くなり、干渉除去時間が減少するようになるだけでなく、各信号サンプル間の時間間隔が増えてしまい、アルゴリズムの具現も容易になる。また、本発明に係る干渉除去型無線中継器は、各チャンネル別にオン-オフ制御が可能であるだけでなく、利得(gain)調整も可能となり、各チャンネル別に電力(power)の測定も可能となって、装備の運用による複数の付加機能の具現が可能となる。
【００３４】
第２の実施形態
本発明の第２の実施形態に係る干渉除去型無線中継器は、干渉除去信号処理部に入力される基準信号として図２のＢ地点から抽出された信号を使用することによって、図２のＢ地点から抽出された信号が、利得調節部を介して第２の下向き周波数変換部に入力され、第２の下向き周波数変換部に入力された信号が、中間周波数信号に変換され、干渉除去信号処理部に伝送される。
【００３５】
第３実施形態
以下、図７を参照して、本発明の第３実施形態に係る干渉除去型無線中継器の構成及び動作を具体的に説明する。図７を参照すれば、第３実施形態に係る干渉除去型無線中継器７０は、受信部７０２と、下向き周波数変換部７１０と、干渉除去信号処理部７２０と、上向き周波数変換部７３０と、増幅部７４０と、送信アンテナと受信アンテナと、を備える。第３実施形態に係る干渉除去型無線中継器７０は、干渉除去信号処理部７２０の基準信号として、干渉除去信号処理部７２０から出力される信号を利得調整した後、使用するようになる。第３実施形態に係る干渉除去型無線中継器７０の他の構成要素の構成及び動作は、第１の実施形態のそれらと同様であるので、重複する説明は、省略する。
【００３６】
第４実施形態
以下、図８及び図９を参照して、本発明の第４実施形態に係る干渉除去型無線中継器８０の構成及び動作を具体的に説明する。図８は、本発明の第４実施形態に係る干渉除去型無線中継器８０の全体的な構成を概略的に示すブロック図であり、図９は、本発明の第４実施形態に係る干渉除去型無線中継器８０の干渉除去信号処理部８２０の内部構成を概略的に示すブロック図である。
【００３７】
図８を参照すれば、本発明の第４実施形態に係る干渉除去型無線中継器８０は、受信アンテナ８００と、受信部８０２と、下向き周波数変換部８１０と、干渉除去信号処理部８２０と、上向き周波数変換部８３０と、増幅部８４０と、送信アンテナ８４２と、を備え、干渉除去信号処理部８２０を除いた他の構成要素の内部構成及び動作は、第１の実施形態のそれらと同様であるので、重複する説明は、省略する。
【００３８】
図９を参照すれば、本発明の第４実施形態に係る干渉除去型無線中継器８０の干渉除去信号処理部８２０は、Ａ/Ｄ変換部９００と、第１、２、…、ｎのチャンネル受信信号ＤＤＣ９１０、９１２、９１４と、第１、２、…、ｎのチャンネル基準信号ＤＤＣ９２０、９２２、９２４と、第１、２、…、ｎのチャンネル干渉制御部９３０、９３２、９３４と、第１、２、…、ｎのチャンネルＤＵＣ９４０、９４２、９４４と、加算器９５０と、Ｄ/Ａ変換部９６０と、を備える。本実施形態に係る干渉除去型無線中継器８０の干渉除去信号処理部８２０は、干渉除去のための基準信号として、前記第１、２、…、ｎのチャンネルＤＵＣ９４０、９４２、９４４の出力信号を使用する。したがって、前述した第１から第３の実施形態の干渉除去型無線中継とは異なり、第４の実施形態に係る干渉除去型無線中継器８０の干渉制御部９３０の基準信号は、別のＡ/Ｄ変換過程を経なくても良い。
【００３９】
第５の実施形態
以下、本発明の第５の実施形態に係る干渉除去型無線中継器の構成及び動作を説明する。本発明の第５の実施形態に係る干渉除去型無線中継器の全体的な構成は、第４の実施形態の干渉除去型無線中継と同一であり、干渉除去信号処理部の構成のみが異なっている。図１０は、本発明の第５の実施形態に係る干渉除去型無線中継器の干渉除去信号処理部の構成を概略的に示すブロック図である。図１０を参照すれば、本実施形態に係る干渉除去信号処理部は、Ａ/Ｄ変換部１０００と、第１、２、ｎのチャンネル受信信号ＤＤＣ１０１０、１０１２、…、１０１４と、第１、２、…、ｎのチャンネル干渉制御部１０３０、１０３２、…、１０３４と、第１、２、…、ｎのチャンネルＤＵＣ１０４０、１０４２、…、１０４４と、加算器１０５０と、Ｄ/Ａ変換部１０６０と、を備える。本実施形態に係る干渉除去信号処理部の第１、２、…、ｎのチャンネル干渉制御部１０３０、１０３２、１０３４は、干渉信号を除去するための基準信号として、第１、２、…、ｎのチャンネル干渉制御部の出力信号をそのまま使用する。
【００４０】
以上で、本発明についてその望ましい実施形態を中心として説明したが、これは、単に例示であるだけであり、本発明を限定するものではなく、本発明が属する分野の通常の知識を有する者ならば、本発明の本質的な特性を逸脱しない範囲で、以上で例示されていない複数の変形と応用が可能であることが分かるであろう。例えば、本発明の実施形態において、受信信号から干渉信号を除去するための基準信号の検出地点は、無線中継器の性能及び適応型フィルターの性能を向上させるために、多様に変形して実施できるものである。そして、このような変形と応用に関係する差異点は、添付の請求範囲において規定する本発明の範囲に含まれるものと解析されるべきである。
【産業上の利用可能性】
【００４１】
本発明に係る干渉除去型無線中継器は、無線通信システムに広く使用されることができる。
【図面の簡単な説明】
【００４２】
【図１】従来の同一送受信周波数を用いる無線中継装置を概略的に示すブロック図である。
【図２】本発明の第１の実施形態に係る干渉除去型無線中継器の全体的な構成を概略的に示すブロック図である。
【図３】図２の干渉除去型無線中継器の干渉除去信号処理部の構成を概略的に示すブロック図である。
【図４】図３の干渉除去信号処理部の干渉制御部の構成を概略的に示すブロック図である。
【図５】デジタル下向き変換器の入力信号及び出力信号に対するスペクトル図である。
【図６】デジタル上向き変換器の入力信号及び出力信号に対するスペクトル図である。
【図７】本発明の第３実施形態に係る干渉除去型無線中継器の全体的な構成を概略的に示すブロック図である。
【図８】本発明の第４実施形態に係る干渉除去型無線中継器の全体的な構成を概略的に示すブロック図である。
【図９】本発明の第４実施形態に係る干渉除去型無線中継器の干渉除去信号処理部の構成を概略的に示すブロック図である。
【図１０】本発明の第５実施形態に係る干渉除去型無線中継器の干渉除去信号処理部の構成を概略的に示すブロック図である。
【符号の説明】
【００４３】
２０２  受信部
２１０  第１の下向き周波数変換部
２５０  第２の下向き周波数変換部
２２０  干渉除去信号処理部
２６０  利得調節部
２３０  上向き周波数変換部
２４０  増幅部
３００  第１のＡ/Ｄ変換部
３１０  第１のチャンネル受信信号ＤＤＣ
３１２  第２のチャンネル受信信号ＤＤＣ
３１４  第ｎのチャンネル受信信号ＤＤＣ
３３０  第１のチャンネル干渉制御部
３３２  第２のチャンネル干渉制御部
３３４  第ｎのチャンネル干渉制御部
３４０  第１のチャンネルＤＵＣ
３４２  第２のチャンネルＤＵＣ
３４４  第ｎのチャンネルＤＵＣ
３６０  Ｄ/Ａ変換部
３０２  第２のＡ/Ｄ変換部
３２０  第１のチャンネル基準信号ＤＤＣ
３２２  第２のチャンネル基準信号ＤＤＣ
３２４  第ｎのチャンネル基準信号ＤＤＣ
４００  適応型フィルター部
４０２  デジタルフィルター
４０４  フィルター係数調整部
７０２  受信部
７１０  第１の下向き周波数変換部
７２０  干渉除去信号処理部
７６０  利得調節部
７３０  上向き周波数変換部
７４０  増幅部
８０２  受信部
８１０  下向き周波数変換部
８２０  干渉除去信号処理部
８３０  上向き周波数変換部
８４０  増幅部
９００  Ａ/Ｄ変換部
９１０  第１のチャンネル受信信号ＤＤＣ
９１２  第２のチャンネル受信信号ＤＤＣ
９１４  第ｎのチャンネル受信信号ＤＤＣ
９３０  第１のチャンネル干渉制御部
９３２  第２のチャンネル干渉制御部
９３４  第ｎのチャンネル干渉制御部
９４０  第１のチャンネルＤＵＣ
９４２  第２のチャンネルＤＵＣ
９４４  第ｎのチャンネルＤＵＣ
９６０  Ｄ/Ａ変換部
９２０  第１のチャンネル基準信号ＤＤＣ
９２２  第２のチャンネル基準信号ＤＤＣ
９２４  第ｎのチャンネル基準信号ＤＤＣ
【図１】
2009522908.tif 000003
【図２】
2009522908.tif 000004
【図３】
2009522908.tif 000005
【図４】
2009522908.tif 000006
【図５】
2009522908.tif 000007
【図６】
2009522908.tif 000008
【図７】
2009522908.tif 000009
【図８】
2009522908.tif 000010
【図９】
2009522908.tif 000011
【図１０】
2009522908.tif 000012
【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
受信アンテナから受信された受信信号を利得調整して伝送する受信部と、
前記受信部から伝送された受信信号を中間周波数(ＩＦ)帯域の信号に変換して出力する下向き周波数変換部と、
前記下向き周波数変換部から伝送された受信信号を少なくとも一つ以上の帯域又は少なくとも一つ以上のチャンネル別に分割し、適応型フィルターを用いて、前記分割されたチャンネル信号から干渉信号を除去した後、分割されたチャンネル信号を一つの信号として結合して伝送する干渉除去信号処理部と、
前記干渉除去信号処理部から伝送される信号を出力可能な元の周波数帯域の信号に変換して出力する上向き周波数変換部と、
前記上向き周波数変換部から伝送された信号を増幅する増幅部と、
前記増幅部から伝送される信号を送信する送信アンテナと、
を備え、
前記干渉除去信号処理部の前記適応型フィルターは、前記干渉信号が除去されたチャンネル信号を基準信号として使用し、
受信信号から干渉信号を除去して出力する干渉除去型無線中継器。
【請求項２】
前記干渉除去信号処理部は、
アナログ型受信信号をデジタル型信号に変換するＡ/Ｄ変換部と、
前記Ａ/Ｄ変換部から伝送される信号を受信して、基底帯域の信号に変換させ、各チャンネル別に分割した後、該当チャンネルに対する受信信号を既設定された標本化率で変換して出力する少なくとも一つ以上の受信信号デジタル下向き変換器と、
所定の基準信号を用いて、前記受信信号デジタル下向き変換器から受信される該当チャンネルの受信信号から干渉信号を除去した該当チャンネル信号を出力する少なくとも一つ以上の干渉制御部と、
前記干渉制御部から伝送される該当チャンネル信号の標本化率を増加させ、中間周波数帯域の信号に変換して出力する少なくとも一つ以上のデジタル上向き変換器と、
前記少なくとも一つ以上のデジタル上向き変換器から出力される全てのチャンネルの信号を一つの信号として結合する結合器と、
前記結合器から出力される信号をアナログ型信号に変換させるＤ/Ａ変換部と、
を備えることを特徴とする請求項１に記載の干渉除去型無線中継器。
【請求項３】
前記干渉制御部は、適応型フィルター部及び加算器を備え、
前記適応型フィルター部は、
干渉信号を除去するための基準信号及び前記加算器から出力される誤差信号を入力され、適応型フィルターアルゴリズムを適用してフィルター係数を出力するフィルター係数調整部と、
前記基準信号及び前記フィルター係数調整部から出力されるフィルター係数を入力され、前記基準信号から干渉信号を推定して干渉推定信号を出力するデジタルフィルターと、からなり、
前記加算器は、干渉信号が含まれた受信信号を非反転端子に入力され、前記デジタルフィルターから出力される干渉推定信号を反転端子に入力され、受信信号から干渉推定信号が除去された誤差信号を出力することを特徴とする請求項２に記載の干渉除去型無線中継器。
【請求項４】
前記干渉制御部の出力信号を前記干渉除去信号処理部の前記干渉制御部に入力される基準信号として使用することを特徴とする請求項２又は３に記載の干渉除去型無線中継器。
【請求項５】
前記干渉除去信号処理部は、少なくとも一つ以上の基準信号デジタル下向き変換器を更に備え、
前記基準信号デジタル下向き変換器は、前記デジタル上向き変換器の出力信号が入力され、入力された信号を各チャンネルに対して基底帯域の信号に変換してフィルタリングした後、既設定された標本化率で変換させた該当チャンネルの基準信号を出力し、
前記基準信号デジタル下向き変換器から出力される該当チャンネルの基準信号は、該当チャンネルに対する干渉制御部に入力される基準信号として使用されることを特徴とする請求項２又は３に記載の干渉除去型無線中継器。
【請求項６】
受信アンテナから受信された受信信号を利得調整して伝送する受信部と、
前記受信部から伝送された受信信号を中間周波数帯域の信号に変換して出力する下向き周波数変換部と、
所定の基準信号及び前記受信信号が入力され、前記下向き周波数変換部から伝送された受信信号を各チャンネル別に分割し、適応型フィルターを用いて、前記基準信号から推定された干渉推定信号を生成し、前記分割されたチャンネル別受信信号から該当チャンネルの干渉推定信号を除去した後、分割された各チャンネル別受信信号を一つの信号として結合して伝送する干渉除去信号処理部と、
前記干渉除去信号処理部から伝送される信号を出力可能な元の周波数帯域の信号に変換して出力する上向き周波数変換部と、
前記上向き周波数変換部から伝送された信号を増幅する増幅部と、
前記増幅部から伝送される信号を送信する送信アンテナと、
を備え、
前記干渉除去信号処理部に入力される前記基準信号は、前記干渉除去信号処理部、前記上向き周波数変換部、及び前記増幅部のいずれかから出力される信号が変換された信号で、
受信信号から干渉信号を除去して出力する干渉除去型無線中継器。
【請求項７】
前記干渉除去信号処理部は、
アナログ型受信信号をデジタル型信号に変換する第１のＡ/Ｄ変換部と、
アナログ型基準信号をデジタル型信号に変換する第２のＡ/Ｄ変換部と、
前記第１のＡ/Ｄ変換部から伝送される信号を受信して基底帯域の信号に変換させ、各チャンネル別に分割した後、該当チャンネルに対する受信信号を既設定された標本化率で変換して出力する少なくとも一つ以上の受信信号デジタル下向き変換器と、
前記第２のＡ/Ｄ変換部から伝送される信号を受信して基底帯域の信号に変換させ、各チャンネル別に分割した後、該当チャンネルに対する基準信号を既設定された標本化率で変換して出力する少なくとも一つ以上の基準信号デジタル下向き変換器と、
前記基準信号デジタル下向き変換器から入力される該当チャンネルの基準信号を用いて、前記受信信号デジタル下向き変換器から受信される該当チャンネルの受信信号から干渉信号を除去した該当チャンネル信号を出力する少なくとも一つ以上の干渉制御部と、
前記干渉制御部から伝送される該当チャンネル信号の標本化率を増加させ、中間周波数帯域の信号に変換して出力する少なくとも一つ以上のデジタル上向き変換器と、
前記少なくとも一つ以上のデジタル上向き変換器から出力される全てのチャンネルの信号を一つの信号として結合する結合器と、
前記結合器から出力される信号をアナログ型信号に変換させるＤ/Ａ変換部と、
を備えることを特徴とする請求項６に記載の干渉除去型無線中継器。
【請求項８】
前記干渉制御部は、適応型フィルター部及び加算器を備え、
前記適応型フィルター部は、
干渉信号を除去するための基準信号及び前記加算器から出力される誤差信号を入力され、適応型フィルターアルゴリズムを適用してフィルター係数を出力するフィルター係数調整部と、
前記基準信号及び前記フィルター係数調整部から出力されるフィルター係数を入力され、前記基準信号から干渉信号を推定して干渉推定信号を出力するデジタルフィルターと、からなり、
前記加算器は、干渉信号が含まれた受信信号を非反転端子に入力され、前記デジタルフィルターから出力される干渉推定信号を反転端子に入力され、受信信号から干渉推定信号が除去された誤差信号を出力することを特徴とする請求項７に記載の干渉除去型無線中継器。
【請求項９】
前記干渉除去信号処理部の出力信号を前記干渉除去信号処理部に入力される基準信号として使用することを特徴とする請求項６から８のいずれかに記載の干渉除去型無線中継器。
【請求項１０】
前記上向き周波数変換部の出力信号を前記干渉除去信号処理部に入力される基準信号として使用し、
前記干渉除去型無線中継器は、前記上向き周波数変換部と前記干渉除去信号処理部との間に追加の下向き周波数変換部を更に備え、
前記追加の下向き周波数変換部は、前記上向き周波数変換部の出力信号を中間周波数帯域の信号に変換して前記干渉除去信号処理部に伝送することを特徴とする請求項６から８のいずれかに記載の干渉除去型無線中継器。
【請求項１１】
前記増幅部の出力信号を前記干渉除去信号処理部に入力される基準信号として使用し、
前記干渉除去型無線中継器は、前記増幅部と前記干渉除去信号処理部との間に追加の下向き周波数変換部を更に備え、
前記追加の下向き周波数変換部は、前記増幅部の出力信号を中間周波数帯域の信号に変換して前記干渉除去信号処理部に伝送することを特徴とする請求項６から８のいずれかに記載の干渉除去型無線中継器。
【国際調査報告】
2009522908.tif 000013
2009522908.tif 000014